(57)【要約】【課題】真の保有者以外であっても不特定ユーザが、緊急サービス等の特定電話番号に発信しようとしたときに、容易に意図した緊急サービスへの発信を可能とする通信装置および通信方法を提供する。【解決手段】この通信装置は、緊急サービスを受けるための複数の緊急電話番号を地域別に配列するテーブルを保持する記憶部１０２と、第一の緊急電話番号の入力を受け付ける入力部１０１と、一致する緊急電話番号に対応する緊急サービスを一つまたは複数表示する表示部１０４と、現在地域を特定する位置判定部１０６と、現在地域において特定の緊急サービスに対応する第二の緊急電話番号をテーブルから検索する検索部１０３と、第二の緊急電話番号に発信する通信制御部１０８とを具備する。【選択図】図１
2012244310.tif 000002
【特許請求の範囲】
【請求項１】
緊急サービスを受けるための複数の緊急電話番号を地域別に配列するテーブルを保持する記憶部と、
第一の緊急電話番号の入力を受け付ける入力部と、
前記第一の緊急電話番号と一致する緊急電話番号が前記テーブルに存在する場合に、一致する緊急電話番号に対応する緊急サービスを一つまたは複数表示する表示部と、
現在地域を特定する位置判定部と、
前記表示部に表示された一つまたは複数の緊急サービスの中から特定の緊急サービスが選択された場合に、前記現在地域において前記特定の緊急サービスに対応する第二の緊急電話番号を前記テーブルから検索する検索部と、
前記第二の緊急電話番号に発信する通信制御部と、を具備する通信装置。
【請求項２】
前記テーブルは、少なくとも警察、救急および消防の緊急電話番号を国別に配列する請求項１記載の通信装置。
【請求項３】
前記記憶部は、前記緊急サービスに対応する画像情報を記憶し、
前記表示部は、一致する緊急電話番号に対応する緊急サービスを前記画像によって表示する請求項１記載の通信装置。
【請求項４】
前記記憶部は、前記緊急サービスに対応する文字を前記地域で使用される言語で記憶し、
前記表示部は、一致する緊急電話番号に対応する緊急サービスを前記言語によって表示する請求項１記載の通信装置。
【請求項５】
前記記憶部は、前記緊急サービスに対応する文字を英語で記憶し、
前記表示部は、一致する緊急電話番号に対応する緊急サービスを前記英語によって表示する請求項１記載の通信装置。
【請求項６】
前記記憶部は、前記文字に対応する音声を記憶し、
前記表示部が前記文字を表示する際に、前記音声を出力する請求項４または５記載の通信装置。
【請求項７】
前記記憶部は、前記緊急サービスに対応する画像情報を記憶するとともに、前記緊急サービスに対応する文字を前記地域で使用される言語及び英語のうち少なくとも一方を記憶し、
前記表示部は、一致する緊急電話番号に対応する緊急サービスを前記画像情報と、前記地域で使用される言語及び英語のうち少なくとも一方とによって表示する請求項１記載の通信装置。
【請求項８】
緊急電話番号入力画面を表示するステップと、
前記緊急電話番号入力画面において第一の緊急電話番号が入力されたことを検出した場合に、緊急サービスを受けるための複数の緊急電話番号を地域別に配列するテーブルに、前記第一の緊急電話番号と一致する緊急電話番号が存在するかどうか検索するステップと、
前記第一の緊急電話番号と一致する緊急電話番号が前記テーブルに存在する場合に、一致する緊急電話番号に対応する緊急サービスを一つまたは複数表示するステップと、
現在地域を特定するステップと、
表示された一つまたは複数の緊急サービスの中から特定の緊急サービスが選択されたことを検出した場合に、前記現在地域において前記特定の緊急サービスに対応する第二の緊急電話番号を前記テーブルから検索するステップと、
前記第二の緊急電話番号に発信するステップと、を有する通信方法。
【請求項９】
前記緊急電話番号入力画面において前記テーブルに存在しない番号が入力されたことを検出した場合に、前記初期画面に推移するステップを有する請求項８記載の通信方法。
【請求項１０】
前記第一の緊急電話番号および前記テーブルの地域データからユーザの使用言語を推定し、前記第一の緊急電話番号に対応する緊急サービスを前記使用言語、英語、初期設定言語または画像情報で表示するステップを有する請求項８記載の通信方法。
【請求項１１】
位置情報またはセル情報を取得し、在圏セルの所属する国を特定するステップを有する請求項８記載の通信方法。
【発明の詳細な説明】
【技術分野】
【０００１】
本発明は、通信装置および通信方法に関し、特に、緊急サービス等の特定電話番号への発信を容易とする通信装置の操作技術に関する。
【背景技術】
【０００２】
通常、携帯電話の保有者は、不特定多数の人がその端末を使用できることを防ぐためにロックを掛けている。しかし、緊急時であってもロックを解除しなければ特定電話番号に発信できないという問題がある。
【０００３】
特許文献１では、特定電話番号を入力した場合、ロック中であっても特定電話番号に発信可能とする技術が公開されている。
【０００４】
また、携帯電話は海外に持ち出しても使用できる場合があるが、海外での特定電話番号は国内の特定電話番号と一致しているとは限らないため、現地での特定電話番号を知らないために特定電話番号に発信できないという問題がある。
【０００５】
特許文献２では、特定電話番号が入力された場合、現在地の特定電話番号への変換テーブルを用いて変換し、現在地の特定電話番号に発信する技術が公開されている。
【先行技術文献】
【特許文献】
【０００６】
【特許文献１】特表２００４−５１１９２３号公報
【特許文献２】特開２００２−１５２３５９号公報
【発明の概要】
【発明が解決しようとする課題】
【０００７】
しかしながら、従来の特定電話番号へ発信する通信装置、例えば特許文献１に記載された装置では、特定電話番号を入力すればロック中であっても特定電話番号に発信できるが、グローバルな環境では特定電話番号は国ごとに異なるため、ある国以外では特定電話番号に発信できない、またはその国の特定電話番号を知らない場合には特定電話番号に発信できないという問題がある。
【０００８】
また従来の特定電話番号へ発信する通信装置、例えば特許文献２に記載された装置では、ある国（ここでは仮にＡ国とする）の特定電話番号を登録しておけば、グローバルなどこの国に持っていっても、その国の特定電話番号に変換して特定電話番号に発信できるが、端末に記憶させたＡ国の特定電話番号を知らない人が操作する場合には特定電話番号に発信できないという問題がある。
【０００９】
例えば、海外からの旅行者が所有していた携帯電話を用いて、別の人が緊急電話を発信しようとした場合、旅行者の居住している国（Ａ国）で 使われている特定電話番号を把握していないと、緊急電話を発信できない。
【００１０】
つまり従来技術では、携帯電話の保有者が緊急時等に特定電話番号に発信する技術は存在するが、携帯電話の保有者以外の不特定ユーザが、特定地域以外で緊急サービス等の特定電話番号に発信しようとしたとき、意図した緊急サービスに発信できないという問題があった。
【００１１】
本発明の目的は、携帯電話保有者以外であっても不特定ユーザが特定地域以外で緊急サービス等の特定電話番号に発信しようとしたときに、容易に意図した緊急サービスへの発信を可能とする通信装置および通信方法を提供することである。
【課題を解決するための手段】
【００１２】
本発明の通信装置は、緊急サービスを受けるための複数の緊急電話番号を地域別に配列するテーブルを保持する記憶部と、第一の緊急電話番号の入力を受け付ける入力部と、前記第一の緊急電話番号と一致する緊急電話番号が前記テーブルに存在する場合に、一致する緊急電話番号に対応する緊急サービスを一つまたは複数表示する表示部と、現在地域を特定する位置判定部と、前記表示部に表示された一つまたは複数の緊急サービスの中から特定の緊急サービスが選択された場合に、前記現在地域において前記特定の緊急サービスに対応する第二の緊急電話番号を前記テーブルから検索する検索部と、前記第二の緊急電話番号に発信する通信制御部とを具備する構成をとる。
【００１３】
この構成によれば、記憶部に登録された複数の地域の緊急電話番号のどれか一つをユーザが入力することで、ユーザが意図したと想定されるサービスを含む一覧が提示され、ユーザはその中から意図するサービスを選択することで、緊急電話番号に発信することができる。また、この構成によれば、現在地の特定電話番号を把握していない、通信装置の所有者以外の不特定多数のユーザでも、緊急サービスを要求するための特定電話番号に容易に発信することができる。
【００１４】
また、本発明の通信装置において、前記テーブルは、少なくとも警察、救急および消防の緊急電話番号を国別に配列する構成をとる。
【００１５】
この構成によれば、グローバル端末において、不慣れな土地（国）にいるユーザが、不慣れな携帯端末を用いて、ロック解除できない状態から、警察、救急または消防の緊急電話番号を発信することができる。
【００１６】
本発明の通信装置において、前記記憶部は、前記緊急サービスに対応する画像情報を記憶し、前記表示部は、一致する緊急電話番号に対応する緊急サービスを前記画像によって表示する構成をとる。
【００１７】
この構成によれば、ユーザは初めて使用する通信装置であっても、また緊急の事態であってもイメージによって選択することができるため、容易に緊急サービスに発信することができる。緊急サービスに対応する画像情報は、静止画像、動画、図形、絵、写真を少なくとも一つ含む画像情報である。
【００１８】
本発明の通信装置において、前記記憶部は、前記緊急サービスに対応する文字を前記地域で使用される言語で記憶し、前記表示部は、一致する緊急電話番号に対応する緊急サービスを前記言語によって表示する構成をとる。
【００１９】
この構成によれば、ユーザは初めて使用する通信装置であっても、また緊急の事態であっても、自国の言語によって選択するサービスを確認してから発信することができるため、誤った緊急サービスに発信することを抑制することができる。
【００２０】
本発明の通信装置において、前記記憶部は、前記緊急サービスに対応する文字を英語で記憶し、前記表示部は、一致する緊急電話番号に対応する緊急サービスを前記英語によって表示する構成をとる。
【００２１】
この構成によれば、一致する緊急電話番号に対応する緊急サービスを英語によって表示するので、不特定多数のユーザが外国に旅行している場合でも、容易に緊急サービスに発信することができる。
【００２２】
本発明の通信装置において、前記記憶部は、前記文字に対応する音声を記憶し、前記表示部が前記文字を表示する際に、前記音声を出力する構成をとる。
【００２３】
この構成によれば、表示部が文字を表示する際に、文字に対応する音声を出力するので、緊急サービスの選択を誤りなく行なうことができる。
【００２４】
本発明の通信装置において、緊急サービスに対応する画像情報を記憶するとともに、前記緊急サービスに対応する文字を前記地域で使用される言語及び英語のうち少なくとも一方を記憶し、前記表示部は、一致する緊急電話番号に対応する緊急サービスを前記画像情報と、前記地域で使用される言語及び英語のうち少なくとも一方とによって表示する構成をとる。
【００２５】
この構成によれば、ユーザは初めて使用する通信装置であっても、また緊急の事態であっても容易にサービスを選択することができ、また異なったサービスに間違って発信することを抑制することができる。
【００２６】
本発明の通信方法は、緊急電話番号入力画面を表示するステップと、前記緊急電話番号入力画面において第一の緊急電話番号が入力されたことを検出した場合に、緊急サービスを受けるための複数の緊急電話番号を地域別に配列するテーブルに、前記第一の緊急電話番号と一致する緊急電話番号が存在するかどうか検索するステップと、前記第一の緊急電話番号と一致する緊急電話番号が前記テーブルに存在する場合に、一致する緊急電話番号に対応する緊急サービスを一つまたは複数表示するステップと、現在地域を特定するステップと、表示された一つまたは複数の緊急サービスの中から特定の緊急サービスが選択されたことを検出した場合に、前記現在地域において前記特定の緊急サービスに対応する第二の緊急電話番号を前記テーブルから検索するステップと、前記第二の緊急電話番号に発信するステップとを有する。
【００２７】
この方法によれば、緊急電話番号の入力を求め、その番号が緊急電話番号であるかどうかを確認し、緊急電話番号である場合には、入力番号に対応する緊急サービスを特定してユーザに確認を促し、複数のサービスが該当する場合にはユーザに選択を促すので、グローバルな環境において、不特定多数の人が容易に緊急電話を発信でき、かつ子供等が誤って緊急電話を発信することを防ぐことができる。また、この方法によれば、現在地の特定電話番号を把握していない、通信装置の所有者以外の不特定多数のユーザでも、緊急サービスを要求するための特定電話番号に容易に発信することができる。
【００２８】
本発明の通信方法は、前記緊急電話番号入力画面において前記テーブルに存在しない番号が入力されたことを検出した場合に、前記初期画面に推移するステップを有する。
【００２９】
この方法によれば、テーブルに存在しない番号が入力されたことを検出した場合に初期画面に推移するので、子供等による誤操作を防ぐことができる。
【００３０】
本発明の通信方法は、前記第一の緊急電話番号および前記テーブルの地域データからユーザの使用言語を推定し、前記第一の緊急電話番号に対応する緊急サービスを前記使用言語、英語、初期設定言語または画像情報で表示するステップを有する。
【００３１】
この方法によれば、第一の緊急電話番号に対応する緊急サービスをユーザの使用言語、英語、初期設定言語または画像情報で表示するので、グローバル端末において、不慣れな土地（国）にいるユーザが、不慣れな携帯端末を用いて、ロック解除できない状態から、緊急電話を発信することができる。
【００３２】
本発明の通信方法は、位置情報またはセル情報を取得し、在圏セルの所属する国を特定するステップを有する。
【００３３】
この方法によれば、在圏セルの所属する国を特定するので、ユーザの使用言語を推定することができる。
【発明の効果】
【００３４】
本発明に係る通信装置および通信方法によれば、現在地の特定電話番号を把握していない、通信装置の所有者以外の不特定多数のユーザでも、緊急サービスを要求するための特定電話番号に容易に発信することができる。
【図面の簡単な説明】
【００３５】
【図１】本発明の実施の形態にかかる通信装置のブロック図
【図２】本発明の実施の形態にかかる通信装置において緊急サービスの特定電話番号の一覧を示す一例
【図３】本発明の実施の形態にかかる通信装置において緊急サービスを選択する画面の一例
【図４】本発明の実施の形態にかかる通信装置において緊急サービスを選択する画面の一例
【図５】本発明の実施の形態にかかる通信装置において緊急サービスを選択する画面の一例
【図６】本発明の実施の形態にかかる通信方法における処理を示すフローチャート
【図７】本発明の実施の形態にかかる通信方法における画面遷移を示す一例
【発明を実施するための形態】
【００３６】
以下、本発明の実施の形態について、図面を参照して詳細に説明する。
【００３７】
本実施の形態に係る通信装置１００では、現在位置の特定サービス（特に、緊急サービス）に発呼する番号を知らない人であっても、他人の携帯電話で自国の特定サービスを呼ぶ番号を選択するだけで、この他人の携帯電話の画面案内に従い、現在位置の特定サービスに発信することができる。図１は、本発明の実施の形態にかかる通信装置１００のブロック図を示す。入力部１０１を介して、ユーザが特定電話番号を入力する。例えば、日本の場合には警察を呼ぶために１１０、救急車や消防車を呼ぶ場合には１１９が入力される。
【００３８】
記憶部１０２は、各国や地域での特定電話番号と特定サービスとの関係を記録したテーブルを保持している。図２にテーブルの一例を示す。図２に示すテーブルに示す国と地域、これらの特定電話番号、及び特定サービスは一例であり、記憶部１０２が記憶するテーブルはこれらに限定されるものではない。
【００３９】
このテーブルには、（ａ）日本の警察１１０、救急および消防１１９、（ｂ）米国およびカナダの警察、救急および消防の９１１、（ｃ）ヨーロッパの警察、救急および消防の１１２、（ｄ）中国の警察１１０、救急１２０および消防１１９、（ｅ）香港の警察、救急および消防の９９９、（ｆ）インドの警察１００、救急１１２および消防１０１、（ｇ）韓国の警察１１２、救急および消防の１１９、（ｈ）ロシアの警察０２、救急０３および消防０１、（ｉ）トルコの警察１５５、救急１１２および消防１１０、（ｊ）オーストラリアの警察、救急および消防０００、（ｋ）ブラジルの警察１９０、救急１９２および消防１９３が記録されている。
【００４０】
図２では警察（Ｐｏｌｉｃｅ）、救急（Ｍｅｄｉｃａｌ）、消防（Ｆｉｒｅ）を例としているが、特定サービスを限定するものではない。例えば、海上保安庁（１１８）など図２に示す以外のサービスを含んでいてもよい。また、記憶部１０２は各国の言語での特定サービスを表現する文字列、音声情報を保持していてもよい。
【００４１】
検索部１０３は、入力部１０１で入力された特定電話番号に該当する緊急サービスが存在するかどうかを記憶部１０２に記録されたテーブルを検索し確認する。例えば、特定電話番号として１１０が入力部１０１に入力された場合には、日本（図２の（ａ））の警察、中国（ｄ）の警察、トルコ（ｉ）の消防が緊急サービスの候補となる。
【００４２】
表示部１０４は、検索部１０３の検索結果を表示する。例えば、特定電話番号として１１０が入力部１０１に入力された場合には、警察のサービスと消防のサービスを表示する。表示部１０４は緊急サービスを画像によって表現してもよい。なお、緊急サービスを表現する画像は、静止画像、動画、図形、絵、写真を少なくとも一つ含む画像情報である。この画像情報は記憶部１０２に保持される。例として、図３（ａ）に警察（Ｐｏｌｉｃｅ）、消防（Ｆｉｒｅ）の２つを表示した場合、および図３（ｂ）に警察（Ｐｏｌｉｃｅ）、消防（Ｆｉｒｅ）、救急（Ｍｅｄｉｃａｌ）の３つを表示した場合を例示する。
【００４３】
また、表示部１０４は緊急サービスの候補を言語で表示してもよい。例として、図４に日本語と中国語の警察とトルコ語の消防を表示した場合を例示する。同図では日本語、中国語と英語を併記し「警察／Ｐｏｌｉｃｅ」、トルコ語と英語を併記し「ｉｔｆａｉｙｅ／Ｆｉｒｅ」と表示している。また、表示部１０４は画像と文字の両方を表示してもよい。例として図５に画像と文字の両方を表示した例を示す。
【００４４】
入力部１０１において、表示部１０４で表示したサービスをユーザが選択する。
【００４５】
位置判定部１０６は、現在地を判定する。携帯電話に内蔵している全地球測位システム（ＧＰＳ：Ｇｌｏｂａｌ  Ｐｏｓｉｔｉｏｎｉｎｇ  Ｓｙｓｔｅｍ）により位置を特定し、どこの国にいるか判定してもよい。または、基地局からどこの国の基地局と接続しているか情報を取得してもよい。
【００４６】
検索部１０３は、位置判定部１０６より現在地の情報を入手するとともに、入力部１０１よりユーザが選択したサービスの情報を入手し、ユーザの選択したサービスと一致する現在地の特定電話番号を検索する。例えば、位置判定部１０６の情報より現在地がブラジルであり、入力部１０１より消防のサービスが選択されている場合、図２の表より特定電話番号は「１９３」となる（図２（ｋ）のＦｉｒｅ）。
【００４７】
通信制御部１０８は、検索部１０３の検索結果の特定電話番号に発信する。例えば、検索結果が「１９３」ならば、特定電話番号１９３に発信する。
【００４８】
なお、表示部１０４と入力部１０１はタッチパネルのように一体となっていてもよい。
【００４９】
また、上記では通信装置として、携帯電話の場合について説明したが、固定電話、通信機能をもった電子書籍、カーナビ、ポータブルナビゲーション装置などの情報処理装置であってもよい。
【００５０】
次に図６を用いて処理フローを説明する。通信装置１００は、電源が入ると初期画面を表示する（Ｓ００）。ユーザが初期画面において緊急電話ボタンを選択すると、特定電話番号の入力待ちの状態（Ｓ０１）になる。
【００５１】
ユーザが入力部１０１に特定電話番号を入力する（Ｓ０２）。このときユーザがキャンセルを選択してもよい。その際は処理が終了する。例えば、ユーザは「１１０」を入力したとする。
【００５２】
通信装置１００は、入力部１０１に入力された番号が世界のどこかの国で緊急サービスに割り当てられている特定電話番号であるかどうかを、検索部１０３が記憶部１０２に保存されたテーブルを検索し調べる（Ｓ０３）。例えば、ユーザが「１１０」を入力した場合には、検索結果として、日本（図２の（ａ））と中国（ｄ）の警察、トルコ（ｉ）の消防が該当する。
【００５３】
検索結果が存在する場合には、検索部１０３の検索結果を表示部１０４に表示する（Ｓ０４）。検索部１０３の検索結果がただ一つの場合であっても、ユーザのサービス選択待ちの画面を表示する。これによってユーザに注意を喚起し、誤ってユーザが緊急サービスに発信することを抑制する。検索結果が存在しない場合には特定電話番号入力画面に戻る（Ｓ０５）。
【００５４】
通信装置１００がサービス選択待ちの状態（Ｓ０４）から、ユーザはサービスを選択し入力部１０１から入力する（Ｓ０６）。このときユーザがキャンセルを選択してもよく、その際は終了する。
【００５５】
ユーザがサービスを選択（Ｓ０６）したあと、検索部１０３は位置判定部１０６より現在地の情報を入手し、入力部１０１を介してユーザが選択したサービスの情報とあわせて、現在地でサービスに割り当てられている特定電話番号を検索する（Ｓ０７）。例えば、ユーザが入力部１０１で特定電話番号として「１１０」を入力し、さらに入力部１０１で「ｉｔｆａｉｙｅ／Ｆｉｒｅ」を選択し、現在地がブラジルにいる場合には、検索結果は「１９３」である（図２（ｋ）のＦｉｒｅ）。
【００５６】
検索結果である特定電話番号に、通信制御部１０８より発信する（Ｓ０８）。例えば、ユーザが入力部１０１で特定電話番号として「１１０」を入力し、さらに入力部１０１で「ｉｔｆａｉｙｅ／Ｆｉｒｅ」を選択し、現在地がブラジルにいる場合には、特定電話番号「１９３」に発信する。
【００５７】
なお図６では初期画面に緊急電話ボタンを配置する場合について説明したが、緊急電話番号を入力する画面を表示する操作は、緊急電話ボタンを用いることに限定するものではない。例えば、初期画面が緊急電話番号の入力画面（Ｓ０１）であってもよい。または、通信装置１００を振る動作を、緊急電話番号を入力する画面を表示する操作に割り当ててもよい。または、通信装置１００の任意のボタンや表示画面を押す操作を、緊急電話番号を入力する画面を表示する操作に割り当ててもよい。
【００５８】
なお、本実施の形態では、表示画面のボタン等を選択する操作は、ユーザにより直接選択されると説明したが、これに限らない。例えば、入力インタフェースと出力インタフェースが一体となったタッチパネルの場合には、ユーザは、スタイラスなどの入力デバイスを介してタッチパネル上のボタンを間接的に選択しても良い。
【００５９】
次に、図７を用いて画面遷移の一例を示す。一例として、トルコ人のＡさんがブラジルに旅行中、旅行先で一緒にバスに乗り合わせた日本人（Ｂさん）の携帯電話を使用して、消防車を呼ぶ状況を例にして説明する。
【００６０】
ＡさんとＢさんが事故を目撃し、消防車を呼ぶ緊急事態が発生したと仮定する。Ｂさんは携帯電話を保有しているが使用することができない状態にあり、ＡさんがＢさんの携帯電話をもちいて消防車を呼ぶことになったとする。
【００６１】
トルコ人であるＡさんは、ロック中の携帯電話の画面（Ｓ１１）上から、「緊急電話／Ｅｍｅｒｇｅｃｎｃｙ  Ｃａｌｌ」を選択する。画面はＳ１２に遷移する。
【００６２】
トルコ人であるＡさんは、ブラジルで消防車を呼ぶ場合の電話番号を知らず、緊急事態のため、母国（トルコ）の消防を呼ぶ番号を「１１０」（図２（ｉ）のＦｉｒｅ）を誤って入力する。
【００６３】
その後、携帯電話の画面には、トルコ語でＦｉｒｅを意味する「ｉｔｆａｉｙｅ」と共に、消防の画面が表示されている（Ｓ１３）。そして、トルコ人であるＡさんはトルコ語が併記されている「ｉｔｆａｉｙｅ／Ｆｉｒｅ」を選択する。
【００６４】
位置判定部１０６は、携帯電話に内蔵しているＧＰＳにより現在位置がブラジルであることを特定する。検索部１０３は、Ａさんの選択操作（「ｉｔｆａｉｙｅ／Ｆｉｒｅ」を選択）に基づき、現在位置であるブラジルの消防の電話番号を、記憶部１０２に格納されたテーブルから検索する。そして、ブラジルの消防の電話番号は「１９３」（図２（ｋ）のＦｉｒｅ）であるので、通信制御部１０８は、この電話番号により消防サービスに発信する。
【００６５】
上述のように、本実施の形態に係る通信装置では、現在位置の特定サービスに発呼する番号を知らない人であっても、他人の携帯電話で自国の特定サービスを呼ぶ番号を選択するだけで、この他人の携帯電話の画面案内に従い、現在位置の特定サービスに発信することができる。
【００６６】
なお、本実施の形態では、通信装置１００がロック中の場合について説明したが、ロック中に限定するものではない。ロックされていない通信装置を用いて緊急電話番号に発信する場合においても本実施の形態を適用することが可能である。例えば、ロックされていない通信装置で、緊急電話番号入力画面を表示部に表示して、緊急電話番号の入力待ち状態（図６のＳ０１）となってもよい。
【００６７】
また例えば、通常の電話番号入力画面において入力された電話番号が緊急電話番号と一致するかどうかを検索し（図６のＳ０３）、一致する場合には緊急サービスの選択候補を表示（図６のＳ０４）してもよい。
【００６８】
以上説明したように、本発明の実施の形態にかかる通信装置および通信方法によれば、現在地の特定電話番号を把握していない、通信装置の所有者以外の不特定多数のユーザでも、緊急サービスを要求するための特定電話番号に容易に発信することができる。
【産業上の利用可能性】
【００６９】
本発明の通信装置および通信方法によれば、現在地の特定電話番号を把握していない、通信装置の所有者以外の不特定多数のユーザでも、緊急サービスを要求するための特定電話番号に容易に発信することができる、という効果を有し、携帯電話機等に有用である。
【符号の説明】
【００７０】
１００  通信装置
１０１  入力部
１０２  記憶部
１０３  検索部
１０４  表示部
１０６  位置判定部
１０８  通信制御部
【図１】
2012244310.tif 000003
【図２】
2012244310.tif 000004
【図３】
2012244310.tif 000005
【図４】
2012244310.tif 000006
【図５】
2012244310.tif 000007
【図６】
2012244310.tif 000008
【図７】
2012244310.tif 000009